(57)【要約】【課題】同軸コネクタの製造コストを低減する。【解決手段】シールド端子２０は、中心端子１１と誘電体１３とを囲み且つ相手方コネクタの端子Ｍと接触する接触部２１と、シールド線７２を囲みシールド線７２と接続されている接続部２３と、同軸ケーブル７０を囲む被係止部２４とを有している。接触部２１と接続部２３と被係止部２４は一体的に形成されており、同軸ケーブル７０の中心線Ｃ１を囲むように曲げられて筒状に形成されている。ハウジング３０は、挿入孔Ｈ１の内側に、被係止部２４の前縁の一部２４ｃにあたりシールド端子２０の前方への移動を規制する係止面３１を有している。【選択図】  図５
2019003809.tif 000002
【特許請求の範囲】
【請求項１】
同軸ケーブルの芯線に接続される中心端子と、
前記同軸ケーブルのシールド線に接続されるシールド端子と、
前記中心端子の外側を取り囲んでおり、且つ前記中心端子と前記シールド線との間に配置されている誘電体と、
前後方向に貫通し且つ前記中心端子と前記誘電体と前記シールド端子とを収容している挿入孔が形成され、前記挿入孔の後側から前記中心端子と前記誘電体と前記シールド端子とが挿入されるハウジングと、を有し、
前記シールド端子は、前記中心端子と前記誘電体とを囲み且つ相手方コネクタの端子と接触する接触部と、前記同軸ケーブルの前記シールド線を囲み前記シールド線と接続されている接続部と、前記同軸ケーブルを囲む被係止部とを有し、前記接触部と前記接続部と前記被係止部は一体的に形成されており、前記同軸ケーブルの中心線を囲むように曲げられて筒状に形成され、
前記ハウジングは、前記挿入孔の内側に、前記被係止部の前縁の一部にあたり前記シールド端子の前方への移動を規制する係止部を有している
ことを特徴とする同軸コネクタ。
【請求項２】
前記シールド端子の前記被係止部は、前記接続部よりも後方に位置している
ことを特徴とする請求項１に記載の同軸コネクタ
【請求項３】
前記シールド端子の前記接触部は、前記中心端子と前記誘電体とを取り囲んでいる本体と、前記本体より後方に位置し、前記シールド線を取り囲んでいる最後部とを有している
ことを特徴とする請求項２に記載の同軸コネクタ。
【請求項４】
前記ハウジングの前記係止部は、前記同軸ケーブルの前記中心線を取り囲んでおり、
前記シールド端子の前記被係止部は、前記同軸ケーブルの前記中心線を中心として前記係止部に対して３６０度に亘って相対回転可能である
ことを特徴とする請求項１乃至３のいずれかに記載の同軸コネクタ。
【請求項５】
前記被係止部は、前記同軸ケーブルの中心線を中心とする周方向における前記被係止部の一部に、前記接続部に接続し且つ前記中心線を中心として湾曲している第１湾曲部を有し、前記周方向における前記被係止部の他の一部に第２湾曲部を有し、
前記中心線から前記第２湾曲部までの距離は、前記中心線から前記第１湾曲部までの距離よりも大きく、
前記第２湾曲部の前縁は前記ハウジングの前記係止部に当たっている
ことを特徴とする請求項１乃至４のいずれかに記載の同軸コネクタ。
【請求項６】
前記ハウジングに取り付けられるロック部材を有し、
前記ロック部材は、前記被係止部の後縁の後方に位置し前記シールド端子の後方への移動を規制する係止部を有している
ことを特徴とする請求項１乃至５のいずれかに記載の同軸コネクタ。
【請求項７】
前記被係止部は、前記シールド端子の最後部に位置している
ことを特徴とする請求項１乃至６のいずれかに記載の同軸コネクタ。
【請求項８】
前記シールド端子の前記接続部の内側には、前記シールド線を取り囲む筒状の支持部材が配置されている
ことを特徴とする請求項１乃至７のいずれかに記載の同軸コネクタ。
【請求項９】
前記シールド線は、前記支持部材の外側に折り返されている折り返し部を有し、
前記シールド端子の前記接続部は、前記折り返し部の外側に配置されている
ことを特徴とする請求項８に記載の同軸コネクタ。
【請求項１０】
前記支持部材は、前記シールド線を取り囲み前記シールド線を保持するシールド線保持部と、前記同軸ケーブルの外皮を取り囲み、前記外皮を保持する外皮保持部とを有している
ことを特徴とする請求項８に記載の同軸コネクタ。
【請求項１１】
前記シールド端子の前記被係止部は、前記外皮保持部の外側に位置し、前記外皮保持部から前記同軸ケーブルの半径方向に離れている
ことを特徴とする請求項１０に記載の同軸コネクタ。
【請求項１２】
前記被係止部の内側に前記シールド線が位置している
ことを特徴とする請求項１乃至１１のいずれかに記載の同軸コネクタ。
【請求項１３】
前記同軸ケーブルの中心線を中心とする周方向における前記被係止部の少なくとも一部は、前記同軸ケーブルの外面から離れている
ことを特徴とする請求項１乃至１２のいずれかに記載の同軸コネクタ。
【発明の詳細な説明】
【技術分野】
【０００１】
本開示は同軸コネクタに関する。
【背景技術】
【０００２】
同軸コネクタは、同軸ケーブルの芯線に接続している中心端子と、同軸ケーブルのシールド線に接続している筒状のシールド端子と、中心端子とシールド端子とが挿入されているハウジングとを有している。同軸コネクタのなかには、同軸ケーブル、中心端子、及びシールド端子の回転を許容するものがある（下記特許文献１）。このようなコネクタによると、同軸ケーブルをねじる力が作用したとき、同軸ケーブルの回転により同軸ケーブルに作用する負荷を低減できる。
【先行技術文献】
【特許文献】
【０００３】
【特許文献１】特開２００７−１２３２７３号公報
【発明の概要】
【発明が解決しようとする課題】
【０００４】
同軸ケーブルの回転を許容する従来の構造の例として、次のようなものがある。すなわち、筒状のシールド端子の外面に、前後方向で離れた２つの環状凸部が形成される。環状凸部は、同軸コネクタを囲むように、シールド端子の全周に亘って形成される。ハウジングにはロック部材が取り付けられ、このロック部材の係合部が２つの環状凸部に嵌まる。環状凸部とロック部材とが係合している状態、すなわちロック部材の係合部が２つの環状凸部の間に配置されている状態では、シールド端子の前後方向での動きは規制される一方で、シールド端子の回転は許容される。従来、このようなシールド端子は、真鍮等の金属柱を切削して形成されているが、切削加工による部品は大きなコストがかかる。そのため、環状凸部を含む筒状のシールド端子を金属板のプレス加工で製造することが考えられる。しかしながら、プレス加工で環状凸部の成型するのは難しく、コストがかかる。さらにはシールド端子の環状凸部により電気特性（インピーダンス）が悪化することが考えられる。
【０００５】
本開示の目的の１つは、電気特性を良好にして同軸コネクタの製造コストを低減できる構造を提案することにある。
【課題を解決するための手段】
【０００６】
（１）本開示で提案する同軸コネクタの一実施形態は、同軸ケーブルの芯線に接続される中心端子と、前記同軸ケーブルのシールド線に接続されるシールド端子と、前記中心端子の外側を取り囲んでおり、且つ前記中心端子と前記シールド線との間に配置されている誘電体と、前後方向に貫通し且つ前記中心端子と前記誘電体と前記シールド端子とを収容している挿入孔が形成され、前記挿入孔の後側から前記中心端子と前記誘電体と前記シールド端子とが挿入されるハウジングと、を有している。前記シールド端子は、前記中心端子と前記誘電体とを囲み且つ相手方コネクタの端子と接触する接触部と、前記同軸ケーブルの前記シールド線を囲み前記シールド線と接続されている接続部と、前記同軸ケーブルを囲む被係止部とを有し、前記接触部と前記接続部と前記被係止部は一体的に形成されており、前記同軸ケーブルの中心線を囲むように曲げられて筒状に形成されている。前記ハウジングは、前記挿入孔の内側に、前記被係止部の前縁の一部にあたり前記シールド端子の前方への移動を規制する係止部を有している。
【０００７】
（２）（１）の同軸コネクタにおいて、前記シールド端子の前記被係止部は、前記接続部よりも後方に位置してもよい。
【０００８】
（３）（２）の同軸コネクタにおいて、前記シールド端子の前記接触部は、前記中心端子と前記誘電体とを取り囲んでいる本体と、前記本体より後方に位置し、前記シールド線を取り囲んでいる最後部とを有してもよい。
【０００９】
（４）（１）乃至（３）のいずれかに記載の同軸コネクタにおいて、前記ハウジングの前記係止部は、前記同軸ケーブルの前記中心線を取り囲んでおり、前記シールド端子の前記被係止部は、前記同軸ケーブルの前記中心線を中心として前記係止部に対して３６０度に亘って相対回転可能であってもよい。
【００１０】
（５）（１）乃至（４）のいずれかに記載の同軸コネクタにおいて、前記被係止部は、前記同軸ケーブルの中心線を中心とする周方向における前記被係止部の一部に、前記接続部に接続し且つ前記中心線を中心として湾曲している第１湾曲部を有し、前記周方向における前記被係止部の他の一部に第２湾曲部を有し、前記中心線から前記第２湾曲部までの距離は、前記中心線から前記第１湾曲部までの距離よりも大きく、前記第２湾曲部の前縁は前記ハウジングの前記係止部に当たってもよい。
【００１１】
（６）（１）乃至（５）のいずれかに記載の同軸コネクタにおいて、前記ハウジングに取り付けられるロック部材を有してもよい。前記ロック部材は、前記被係止部の後縁の後方に位置し前記シールド端子の後方への移動を規制する係止部を有してもよい。
【００１２】
（７）（１）乃至（６）のいずれかに記載の同軸コネクタにおいて、前記被係止部は、前記シールド端子の最後部に位置してもよい。
【００１３】
（８）（１）乃至（７）のいずれかに記載の同軸コネクタにおいて、前記シールド端子の前記接続部の内側には、前記シールド線を取り囲む筒状の支持部材が配置されてもよい。
【００１４】
（９）（８）に記載の同軸コネクタにおいて、前記シールド線は、前記支持部材の外側に折り返されている折り返し部を有し、前記シールド端子の前記接続部は、前記折り返し部の外側に配置されてもよい。
【００１５】
（１０）（８）に記載の同軸コネクタにおいて、前記支持部材は、前記シールド線を取り囲み前記シールド線を保持するシールド線保持部と、前記同軸ケーブルの外皮を取り囲み、前記外皮を保持する外皮保持部とを有してもよい。
【００１６】
（１１）（１０）に記載の同軸コネクタにおいて、前記シールド端子の前記被係止部は、前記外皮保持部の外側に位置し、前記外皮保持部から前記同軸ケーブルの半径方向に離れてもよい。
【００１７】
（１２）（１）乃至（１１）のいずれかに記載の同軸コネクタにおいて、前記被係止部の内側に前記シールド線が位置してもよい。
【００１８】
（１３）（１）乃至（１２）のいずれかに記載の同軸コネクタにおいて、前記同軸ケーブルの中心線を中心とする周方向における前記被係止部の少なくとも一部は、前記同軸ケーブルの外面から離れてもよい。
【図面の簡単な説明】
【００１９】
【図１】本開示で提案する同軸コネクタの一例を示す斜視図である。
【図２】同軸コネクタの分解斜視図である。
【図３】同軸コネクタの背面図である。
【図４Ａ】図３に示すＩＶ−ＩＶ線で得られる断面図である。
【図４Ｂ】図４Ａの拡大図である。
【図４Ｃ】図４Ａの拡大図である。
【図５】ハウジングとシールド端子の断面図である。その切断面は図４Ａと同様である。
【図６】同軸ケーブルの端部に取り付けられる端子部の斜視図である。
【図７】図６に示す端子部の分解斜視図である。
【図８】シールド端子と二次ロック部材の側面図である。
【図９】図８に示すＩＸ−ＩＸ線で得られる断面図である。
【図１０】ハウジングの背面図である。
【図１１】シールド端子の背面図である。
【図１２】二次ロック部材とシールド端子の被係止部との位置関係を示す背面図である。
【図１３】二次ロック部材とシールド端子の被係止部との位置関係を示す背面図である。シールド端子が回転した様子を示している。
【発明を実施するための形態】
【００２０】
以下、本開示で提案する同軸コネクタの実施形態について説明する。以下の説明において、図１のＹ１及びＹ２で示す方向をそれぞれ前方及び後方と称する。図１のＺ１及びＺ２で示す方向を上方及び下方と称する。図１のＸ１及びＸ２で示す方向を右方向及び左方向と称する。
【００２１】
図４Ａに示すように、同軸ケーブル７０は芯線７１とシールド線７２とを有している。シールド線７２は管状であり、芯線７１はシールド線７２の内側に配置されている。シールド線７２は、例えば、網状に形成された多数の電線で構成されている編組線７２Ａ（図４Ｂ参照）を含んでいる。シールド線７２は、編組線７２Ａに加えて導体膜７２Ｂ（図４Ｂ参照）を有してもよい。導体膜７２Ｂの材料は、例えばアルミニウムであるが、その材料はこれに限られない。また、同軸ケーブル７０は絶縁体７３と外皮７４とを有してもよい。絶縁体７３は管状に形成され、その内側に芯線７１が配置されている。シールド線７２は絶縁体７３の外側を取り囲んでいる。外皮７４は絶縁体によって形成され、シールド線７２の外側を覆っている。図７に示すように、シールド線７２は外皮７４の前端を超えてさらに前方に延びており、シールド線７２の最前部７２ａは露出している（以下では、最前部７２ａを「露出部」と称する）。また、芯線７１は、シールド線７２の前端と絶縁体７３の前端とを超えて前方に突出しており、芯線７１の前端７１ａは絶縁体７３及びシールド線７２から露出している。
【００２２】
図２に示すように、同軸コネクタ１は、同軸ケーブル７０の端部に取り付けられている端子部Ｆと、ハウジング３０とを有している。端子部Ｆは、図７に示すように、芯線７１に接続されている中心端子１１と、シールド線７２に接続されているシールド端子２０とを有している。また、端子部Ｆは、筒状に形成される誘電体１３を有してもよい。誘電体１３は筒状に形成され、その内側に中心端子１１が配置されてよい。シールド端子２０は筒状であり、その内側に、中心端子１１と誘電体１３とが配置される。ハウジング３０には、前後方向にこれを貫通する挿入孔Ｈ１が形成され、中心端子１１、誘電体１３、及びシールド端子２０は挿入孔Ｈ１に収容される（図４Ａ参照）。同軸コネクタ１の例では、中心端子１１、誘電体１３、及びシールド端子２０は、挿入孔Ｈ１にその後側から挿入されてよい。また、同軸コネクタ１は、ハウジング３０に取り付けられ、端子部Ｆの後方への移動を規制する二次ロック部材４０を有してもよい。
【００２３】
図４Ａに示すように、中心端子１１は、その最後部に、芯線７１の端部７１ａ（図７参照、絶縁体７３から突出している部分）に圧着されている圧着部１１ａを有してよい。また、中心端子１１は、その最前部に、相手コネクタの中心端子に接触する接触部１１ｂを有してよい。同軸コネクタ１の例では、中心端子１１は雄端子であり、接触部１１ｂはピン状に形成されている。相手コネクタの中心端子は筒状に形成され、接触部１１ｂは筒状の中心端子の内側に挿入される。同軸コネクタ１の例とは異なり、中心端子１１は雌端子でもよい。この場合、接触部１１ｂは例えば筒状に形成されてもよい。
【００２４】
シールド端子２０は、その最前部に、接触部２１を有している（図６参照）。接触部２１は筒状であり、図４Ａに示すように中心端子１１と誘電体１３とを取り囲んでよい。すなわち、接触部２１は円筒状に形成され、その内側に、中心端子１１と誘電体１３が配置されてよい。誘電体１３と接触部２１との位置がずれないように、誘電体１３は接触部２１に取り付けられてよい。接触部２１と誘電体１３との固定構造は、後において詳説する。
【００２５】
同軸コネクタ１の使用時、接触部２１は相手コネクタの端子に接触する。図４Ａに示すように、同軸コネクタ１の例では、ハウジング３０の挿入孔Ｈ１の内面と接触部２１との間には隙間が設けられている。この隙間に、相手コネクタの筒状のシールド端子Ｍが挿入される。シールド端子Ｍは接触部２１の外面に接触してよい。
【００２６】
図４Ａに示すように、シールド線７２は、後述する接続部２３（図６参照）よりも前方に位置している部分７２ｅを有している（以下では、この部分７２ｅを「突出部」と称する。）。突出部７２ｅは接続部２３の前縁２３ｄよりも前方に位置している。シールド端子２０の接触部２１は、本体２１ｅと最後部２１ｆとを有している（図６参照）。本体２１ｅは筒状であり、中心端子１１を取り囲んでいる。すなわち、本体２１ｅは、同軸ケーブル７０の中心線Ｃ１を中心とする周方向の全周に亘って、中心端子１１を取り囲んでいる（「同軸ケーブル７０の中心線Ｃ１」を、以下では、「ケーブル中心線」と称する。また、「中心線Ｃ１を中心とする周方向」は、図６のＤｒで示す方向であり、以下では「ケーブル周方向」と称する。）。本体２１ｅはシールド線７２よりも前方に位置している。最後部２１ｆは、本体２１ｅの後方に位置し、シールド線７２の突出部７２ｅを取り囲んでよい。すなわち、最後部２１ｆも筒状であり、ケーブル周方向Ｄｒの全周に亘って、シールド線７２の突出部７２ｅを取り囲んでよい。最後部２１ｆは、シールド端子２０と同軸ケーブル７０の側面視において、シールド線７２の突出部７２ｅと重なってよい。接触部２１のこの構造によると、芯線７１と中心端子１１は、前後方向におけるいずれの位置においてもシールド線７２又はシールド端子２０の接触部２１によって覆われる。その結果、端子部Ｆにおけるインピーダンスを均一にできる。同軸コネクタ１の例では、最後部２１ｆは本体２１ｅよりも大きな径を有している。同軸コネクタ１の例とは異なり、最後部２１ｆの径と本体２１ｅの径は同じでもよい。
【００２７】
シールド端子２０は、接触部２１の後方に、接続部２３を有している（図６参照）。接続部２３の前縁の一部だけが、接触部２１の後縁（最後部２１ｆの後縁）に接続している。接続部２３も筒状である。図４Ａに示すように、接続部２３はシールド線７２の露出部７２ａ（外皮７４から露出している部分、図７参照）の外側を取り囲み、シールド線７２に接続されている。接続部２３は２つの湾曲部２３ａ、２３ｂを有してよい。湾曲部２３ａ、２３ｂはシールド線７２を取り囲むように曲げられて、シールド線７２に圧接してよい。
【００２８】
図７に示すように、同軸コネクタ１は筒状の支持部材５０を有してよい。支持部材５０はシールド線７２を保持するシールド線保持部５１を有している。図４Ｂに示すように、シールド線保持部５１は、シールド端子２０の接続部２３の内側に位置してよい。この構造によると、接続部２３から同軸ケーブル７０の絶縁体７３に作用する力をシールド線保持部５１によって軽減できる。その結果、絶縁体７３の変形によるインピーダンスのずれを低減できる。なお、支持部材５０は、シールド線７２よりも高い剛性を有してよい。支持部材５０は例えば金属で形成される。
【００２９】
図４Ｂに示すように、同軸ケーブル７０のシールド線７２の最前部（露出部７２ａ）は、シールド線保持部５１の外側に折り返されている。より詳細には、シールド線７２を構成する編組線７２Ａの端部がシールド線保持部５１の外側に折り返されている。そして、シールド端子２０の接続部２３の内側にシールド線７２の露出部７２ａが位置し、シールド線７２の露出部７２ａの内側にシールド線保持部５１が位置している。この構造によると、接続部２３の保持力がシールド線７２の露出部７２ａに直接作用するので、電気的接続の安定性を確保できる。
【００３０】
後において説明するように、支持部材５０は、シールド線保持部５１の後方に位置する外皮保持部５２（図７参照）を有してもよい。支持部材５０は、外皮保持部５２の前縁の一部とシールド線保持部５１の後縁の一部とを接続する中間部５３（図７参照）を有してよい。支持部材５０は、例えば金属の板材から形成されている。板材は、シールド線７２の外側を取り囲むように曲げられてシールド線保持部５１を構成し、外皮７４の外側を取り囲むように曲げられて外皮保持部５２を構成している。
【００３１】
図６に示すように、シールド端子２０は、同軸ケーブル７０を囲む筒状に形成されている被係止部２４を有してよい。被係止部２４は接続部２３より後方に位置してよい。より詳細には、被係止部２４は、シールド端子２０における最後部に位置してよい。シールド端子２０は、被係止部２４と接続部２３との間に位置する中間部２６を有してもよい。被係止部２４の前縁の一部だけが中間部２６を介して接続部２３の後縁に接続してよい。後において詳説するように、被係止部２４は、前後方向におけるハウジング３０内でのシールド端子２０の位置を固定するために利用される。
【００３２】
シールド端子２０はケーブル中心線Ｃ１を囲むように曲げられて形成されている。接触部２１、接続部２３、及び被係止部２４は、一体的に形成されている。より詳細には、シールド端子２０は、接触部２１、接続部２３、及び被係止部２４を含む１枚の金属の板材を、ケーブル中心線Ｃ１を囲むように曲げることによって形成されてよい。このようなシールド端子２０はプレス加工で形成されてよい。これによれば、鋳造や切削加工によって形成されている従来のシールド端子に比して、簡単に且つ低コストでシールド端子２０を形成できる。
【００３３】
図６に示すように、接触部２１は、境目２１ａを有している。板材の２つ縁が境目２１ａで互いに接続している。同軸コネクタ１の例では、一方の縁に係合凸部２１ｍが形成され、他方の縁に凹部が形成されている。係合凸部２１ｍが凹部に嵌まることによって、２つの縁は相互に接続している。接続部２３も、２つの湾曲部２３ａ、２３ｂの間に境目２３ｃを有している。被係止部２４は、境目２４ｎを有している。板材の２つ縁が境目２４ｎで接続している。同軸コネクタ１の例では、一方の縁に係合凸部２４ｍが形成され、他方の縁に凹部が形成されている。係合凸部２４ｍが凹部に嵌まることによって、２つの縁は相互に接続している。被係止部２４の形状は、同軸コネクタ１の例に限られない。すなわち、板材の２つの縁は境目２４ｎで互いに離れていてもよい。
【００３４】
図５に示すように、ハウジング３０は、挿入孔Ｈ１の内側に、係止面３１を有してよい。係止面３１は、挿入孔Ｈ１の内面に形成されている、後方に向いた面である。シールド端子２０の被係止部２４の前縁の一部２４ｃ（後述する第２湾曲部２４Ｆの前縁）は、係止面３１にあたっている。このことによって、シールド端子２０の前方への移動が規制されている。この構造によれば、シールド端子の外周面に２つの環状部を設け、これにロック部材を係合せる従来の係止構造に比べて、シールド端子の形状を簡素化できる。同軸コネクタ１の例では、挿入孔Ｈ１の内径は、接続部２３を収容している部分では、被係止部２４を収容している部分よりも小さい。この２つの部分の間に形成される段差が係止面３１として機能している。
【００３５】
また、同軸コネクタ１の例では、ケーブル中心線Ｃ１を中心とする係止面３１と被係止部２４の相対回転が許容されており、端子部Ｆは、ケーブル中心線Ｃ１を中心として回転できる。図１０に示すように、係止面３１は、ハウジング３０の背面視において、ケーブル中心線Ｃ１を取り囲んでよい（図１０において、係止面３１には網掛けが施されている。）。言い換えれば、係止面３１は、ハウジング３０の背面視において、ケーブル中心線Ｃ１を中心とする環状であってよい。このため、被係止部２４の前縁の一部２４ｃが係止面３１に当たっている状態で、ケーブル中心線Ｃ１を中心とするシールド端子２０の回転（言い換えれば、端子部Ｆ及び同軸ケーブル７０の回転）が許容される。同軸ケーブル７０が回転すると、係止面３１における被係止部２４の当たっている位置がケーブル周方向（図１０でＤｒで示す方向）に変化する。同軸コネクタ１の例では、同軸ケーブル７０及び端子部Ｆはケーブル中心線Ｃ１を中心として３６０度回転できる。
【００３６】
なお、係止面３１は、ケーブル周方向の一部の領域には形成されていなくてもよい。図１０に示すように、同軸コネクタ１の例では、ケーブル周方向の一部の領域Ｗ４には、係止面３１は形成されていない。ハウジング３０には、シールド端子２０の後方への移動を規制する一次ロック部３３（図２参照）が形成されている。領域Ｗ４には、一次ロック部３３が位置している。後において詳説するように、被係止部２４は、ケーブル周方向の一部に、係止面３１にあたっている第２湾曲部２４Ｆ（図１１参照）を有している。ケーブル周方向における第２湾曲部２４Ｆの幅は領域Ｗ４の幅よりも大きい。このため、同軸ケーブル７０及び端子部Ｆがケーブル周方向においていずれの回転位置にある場合であっても、第２湾曲部２４Ｆの前縁２４ｃの一部又は全部が係止面３１に当たる。つまり、仮に第２湾曲部２４Ｆの前縁２４ｃが領域Ｗ４にある場合でも、第２湾曲部２４Ｆの前縁２４ｃの一部は係止面３１にあたる。その結果、シールド端子２０の前方への移動は規制される。同軸コネクタ１の例とは異なり、第２湾曲部２４Ｆはケーブル中心線Ｃ１を中心とする周方向の全域に亘って連続していてもよい。
【００３７】
図１１に示すように、被係止部２４は、ケーブル中心線Ｃ１を中心とする周方向の一部に第１湾曲部２４Ｅを有している。また、被係止部２４は、周方向の他の一部に、第２湾曲部２４Ｆを有している。第１湾曲部２４Ｅと第２湾曲部２４Ｆのそれぞれは、同軸ケーブル７０を取り囲むように湾曲しており、被係止部２４は全体として筒状でよい。
【００３８】
第１湾曲部２４Ｅは、シールド端子２０の他の部分（すなわち、被係止部２４の前又は後に位置する部分）に接続している。その一方、第２湾曲部２４Ｆは、シールド端子２０の他の部分に接続していない。図２及び図６に示すように、同軸コネクタ１の例では、被係止部２４は接続部２３の後方に位置し、第１湾曲部２４Ｅは接続部２３に接続してよい。第２湾曲部２４Ｆの前縁２４ｃ（図６参照）は接続部２３に接続していない。
【００３９】
図５に示すように、シールド端子２０は、第１湾曲部２４の前縁と接続部２３の後縁との間に、それらを繋ぐ中間部２６を有してよい。第１湾曲部２４Ｅの径（ケーブル中心線Ｃ１からの距離Ｌ１（図５参照））は、接続部２３の径（ケーブル中心線Ｃ１からの距離Ｌ３（図５参照））よりも大きい。そのため、中間部２６は第１湾曲部２４Ｅから前方に延びるともに、ケーブル中心線Ｃ１に向かって傾斜している。接続部２３のサイズと第１湾曲部２４Ｅのサイズとの関係は、同軸コネクタ１の例に限られない。例えば、第１湾曲部２４Ｅの径は、接続部２３の径と同じでもよい。
【００４０】
図５に示すように、ケーブル中心線Ｃ１から第２湾曲部２４Ｆまでの距離Ｌ２は、ケーブル中心線Ｃ１から第１湾曲部２４Ｅまでの距離Ｌ１よりも大きい。ハウジング３０の挿入孔Ｈ１の内面に形成されている係止面３１は、第２湾曲部２４Ｆの前縁２４ｃにあたっている。一方、第１湾曲部２４Ｅ及び中間部２６は係止面３１にあたらない。言い換えれば、ケーブル中心線Ｃ１から係止面３１までの距離Ｌ４は、ケーブル中心線Ｃ１から第２湾曲部２４Ｆまでの距離Ｌ２よりも小さく、ケーブル中心線Ｃ１から第１湾曲部２４Ｅまでの距離Ｌ１よりも大きい。そのため、第２湾曲部２４Ｆの前縁２４ｃは係止面３１にあたっているのに対して、第１湾曲部２４Ｅと中間部２６は係止面３１にあたらない。第２湾曲部２４Ｆの前縁２４ｃが係止面３１にあたっている状態で、同軸ケーブル７０と端子部Ｆはケーブル中心線Ｃ１を中心として３６０度に亘って回転可能である。
【００４１】
シールド端子２０はハウジング３０の内面によって回転可能に支持されてよい。同軸コネクタ１の例では、図４Ａに示すように、ハウジング３０の内面にシールド端子２０の接触部２１を取り囲む支持部３４を有している。支持部３４の内面は、接触部２１の外周面（より詳細には、本体２１ｅの後部の外周面）に沿って湾曲しており、シールド端子２０は支持部３４によって回転可能に支持されている。
【００４２】
図１１に示すように、同軸コネクタ１の例では、第１湾曲部２４Ｅはケーブル中心線Ｃ１を中心とする円弧でよい。第１湾曲部２４Ｅはケーブル中心線Ｃ１を中心として１８０度に亘って形成されてよい。第２湾曲部２４Ｆは、ケーブル中心線Ｃ１から、同軸ケーブル７０の半径方向に離れた点Ｃ２を中心とする円弧でよい（以下では、「同軸ケーブル７０の半径方向」を「ケーブル半径方向」と称する。）。第２湾曲部２４Ｆは点Ｃ２を中心として１８０度に亘って形成されてよい。被係止部２４は、第１湾曲部２４Ｅと第２湾曲部２４Ｆとを繋ぐ平面部２４Ｇを有してもよい。
【００４３】
なお、被係止部２４の形状は同軸コネクタ１の例に限られない。例えば、ケーブル中心線Ｃ１から被係止部２４までの距離は、ケーブル中心線Ｃ１を中心とする周方向の全域に亘って均一でもよい。言い換えれば、ケーブル中心線Ｃ１から第１湾曲部２４Ｅまでの距離Ｌ１と、ケーブル中心線Ｃ１から第２湾曲部２４Ｆまでの距離Ｌ２は同じでもよい。この場合、第１湾曲部２３Ｅに接続されている中間部２６は、ハウジング３０の係止面３１と干渉しないように、形成されてよい。さらに他の例では、第１湾曲部２４Ｅは、ケーブル中心線Ｃ１からずれた点を中心として湾曲してもよい。また、シールド端子２０は平面部２４Ｇを有していなくてもよい。
【００４４】
ハウジング３０は、一次ロック部３３を有している（図２参照）。図５に示すように、一次ロック部３３は係止部３３ａを有している。係止部３３ａはシールド端子２０の被係止部２４の後縁２４ｈにあたり、シールド端子２０の後方への動きを規制する。ケーブル中心線Ｃ１から係止部３３までの距離Ｌ５は、ケーブル中心線Ｃ１から湾曲部２４Ｅ、２４Ｆまでの距離Ｌ１、Ｌ２よりも小さい。このため、シールド端子２０がケーブル中心線Ｃ１を中心として回転するとき、被係止部２４の後縁２４ｈにおけるいずれかの位置に、係止部３３ａはあたる。また、同軸コネクタ１の製造過程でシールド端子２０をハウジング３０に挿入するとき、シールド端子２０の角度（ケーブル周方向における位置）がどのようであっても、一次ロック部３３が被係止部２４に引っかかり、シールド端子２０の後方への移動を規制できる。
【００４５】
図５に示すように、同軸コネクタ１の例では、一次ロック部３３は、被係止部２４に対して上方に位置しているバネ部３３ｂを有している。バネ部３３ｂの基部３３ｃは、ハウジング３０においてシールド端子２０の接続部２３を覆っている部分３０ａに接続している。バネ部３３ｂは基部３３ｃから後方に延びており、その後端に係止部３３ａが形成されている。係止部３３ａは、その後側に、後方且つ上方に斜めに延びているガイド面３３ｄを有している。同軸コネクタ１の製造過程でシールド端子２０をハウジング３０に挿入するとき、ガイド面３３ｄに被係止部２４があたり、バネ部３３ｂが上方に弾性変形する。被係止部２４の前縁２４ｃがハウジング３０の係止面３１に当たる位置まで挿入されると、バネ部３３ｂは初期位置に復帰し、係止部３３ａは被係止部２４の後縁２４ｈに引っかかる。
【００４６】
図２に示すように、同軸コネクタ１は、ハウジング３０に取り付けられる二次ロック部材４０を有してもよい。同軸コネクタ１の例では、二次ロック部材４０はハウジング３０の上側に取り付けられる。同軸コネクタ１の例では、二次ロック部材４０はカバー部４２を有してよい。カバー部４２は、一次ロック部３３のバネ部３３ｂを覆い、バネ部３３ｂの上方への弾性変形を規制してよい（図４Ｃ参照）。二次ロック部材４０の位置は、同軸コネクタ１の例に限られない。例えば、二次ロック部材４０はハウジング３０の下側に取り付けられてもよい。二次ロック部材４０はハウジング３０の右側や左側に取り付けられてもよい。二次ロック部材４０はカバー部４２の右側及び左側から下方に延びている取付部４３を有してもよい。取付部４３は、ハウジング３０に形成されている取付穴３０ｂに差し込まれて、ハウジング３０に取り付けられる。
【００４７】
図２に示すように、二次ロック部材４０は、係止部４１Ａ、４１Ｂを有している。二次ロック部材４０がハウジング３０に取り付けられているとき、係止部４１Ａ、４１Ｂは、シールド端子２０の被係止部２４の後縁２４ｈの後方に位置し、シールド端子２０の後方への移動を規制する（図８参照）。図１２に示すように、係止部４１Ａ、４１Ｂはカバー部４２から下方に延びている。同軸コネクタ１の例では、二次ロック部材４０は、ケーブル周方向において互いに離れている２つの係止部４１Ａ、４１Ｂを有している。２つの係止部４１Ａ、４１Ｂは、ケーブル中心線Ｃ１を通る鉛直線Ｖ１に対して対称であってよい。２つの係止部４１Ａ、４１Ｂの間に一次ロック部３３が位置してよい（図３参照）。係止部４１Ａ、４１Ｂは、ハウジング３０に形成されている穴３０ｃ（図２参照）に差し込まれて、被係止部２４の後方に配置される。
【００４８】
図１２に示すように、各係止部４１Ａ、４１Ｂは被係止部２４の後方に位置する第１内側部４１ａと第２内側部４１ｂとを有してよい。内側部４１ａ、４１ｂは、各係止部４１Ａ、４１Ｂにおいてケーブル中心線Ｃ１寄りの部分である。第２内側部４１ｂは第１内側部４１ａより下方に位置している。ケーブル中心線Ｃ１から第１内側部４１ａまでの距離Ｌ６は、ケーブル中心線Ｃ１から湾曲部２４Ｅ、２４Ｆまでの距離Ｌ１、Ｌ２よりも小さい。また、ケーブル中心線Ｃ１から第２内側部４１ｂまでの距離Ｌ７も、ケーブル中心線Ｃ１から湾曲部２４Ｅ、２４Ｆまでの距離Ｌ１、Ｌ２よりも小さい。
【００４９】
この構造によると、シールド端子２０がケーブル中心線Ｃ１を中心として３６０度回転するとき、被係止部２４の後縁２４ｈにおけるいずれかの位置に、内側部４１ａ、４１ｂは当たる。例えば図１２で示す状態では、第１内側部４１ａは、第１湾曲部２４Ｅの後方に位置し、第２内側部４１ｂは、平面部２４Ｇ（図１１参照）の後方に位置している。図１３は、シールド端子２０が４５度だけ回転したときの被係止部２４と係止部４１Ａ、４１Ｂとの位置関係を例示する図である。図１３で示す状態では、右側の係止部４１Ｂの内側部４１ａ、４１ｂは第１湾曲部２４Ｅの後方に位置している。左側の係止部４１Ａの内側部４１ａ、４１ｂはそれぞれ平面部２４Ｇ、第２湾曲部２４Ｆの後方に位置している。シールド端子２０がさらに回転した状態においても、被係止部２４の後縁２４ｈにおけるいずれかの位置に、内側部４１ａ、４１ｂはあたる。
【００５０】
図１２に示すように、右側の係止部４１Ａの第２内側部４１ｂと、左側の係止部４１Ｂの第２内側部４１ｂのそれぞれは、ケーブル中心線Ｃ１を通る水平面Ｐ１を超えて下方に延びている。そして、係止部４１Ａ、４１Ｂの第２内側部４１ｂは、ケーブル中心線Ｃ１を挟んで互いに反対側に位置している。この構造によると、二次ロック部材４０によるシールド端子２０の後方への移動規制を効果的に行うことができる。
【００５１】
上述したように。被係止部２４は、接続部２３の後方に位置している。より詳細には、被係止部２４はシールド端子２０の最後部に位置している。そのため、被係止部２４の後縁２４ｈに、シールド端子２０の他の部分は接続されていない。これによると、被係止部２４の後縁２４ｈにおける広い範囲に亘って係止部４１Ａ、４１Ｂをあてることができる。つまり、被係止部２４の後縁２４ｈにシールド端子２０の他の部位が接続されている場合、その部位と二次ロック部材４０の係止部４１Ａ、４１Ｂとの干渉を避ける構造が必要となる。同軸コネクタ１の例では、被係止部２４はシールド端子２０の最後部に位置しているので、そのような干渉を避けるための構造が必要とされない。
【００５２】
図４Ｃに示すように、シールド線７２は、被係止部２４の前縁２４ｃを超えて前方に延びている。被係止部２４の内側にはシールド線７２が位置している。これによると、同軸ケーブル７０のインピーダンスに対する被係止部２４の影響を抑えることができる。その結果、被係止部２４の形状として、ハウジング３０の係止面３１、一次ロック部３３、及び二次ロック部材４０による係止の安定性にとって適した形状を選択できる。同軸コネクタ１の例では、ケーブル中心線Ｃ１から第２湾曲部２４Ｆまでの距離Ｌ２（図５参照）は、ケーブル中心線Ｃ１から第１湾曲部２４Ｅまでの距離Ｌ１（図５参照）よりも大きい。しかしながら、被係止部２４の内側にシールド線７２が位置しているので、インピーダンスに対する被係止部２４の影響を抑えることができている。なお、同軸コネクタ１の例では、シールド端子２０の接続部２３と中間部２６の内側にも、シールド線７２が存在しているので、インピーダンスに対する接続部２３と中間部２６の影響を抑えることができる。
【００５３】
また、シールド端子２０をハウジング３０内で固定するための構造、すなわち被係止部２４を接続部２３よりも後方に配置したので、コネクタ１の電気的特性の悪化を防ぐことができる。例えばシールド端子２０の外側に突出し且つケーブル中心線を取り囲む環状凸部をプレス加工によって接触部２１に形成した場合、プレス加工に起因して環状凸部の内側に凹部が生じてしまう。接触部２１の内側にはシールド線７２が存在していないので、凹部のある位置のインピーダンスは、他の位置でのインピーダンスとは異なってしまう。すなわち、電気的特性が悪化する。これに対して、シールド端子２０の例では、被係止部２４は接続部２３よりも後方に位置しているので、接触部２１の内径は、接触部２１の前端から後端に亘って実質的に均一である。その結果、電気的特性の悪化を防ぐことができる。
【００５４】
［係止部の変形例］
係止部４１Ａ、４１Ｂの形状は、同軸コネクタ１の例に限られない。例えば、係止部４１Ａ、４１Ｂは第１内側部４１ａを有していなくてもよい。言い換えれば、ケーブル中心線Ｃ１から第１内側部４１ａまでの距離Ｌ６は、ケーブル中心線Ｃ１から湾曲部２４Ｅ、２４Ｆまでの距離Ｌ１、Ｌ２よりも大きくてもよい。
【００５５】
さらに他の例では、被係止部２４はシールド端子２０の最後部に位置していなくてもよい。例えば、被係止部２４の後ろ側に、別の部位が接続されてもよし、被係止部２４は接続部２３の前方に位置してもよい。
【００５６】
上述したように、シールド端子２０の被係止部２４は筒状に形成され、同軸ケーブル７０を取り囲んでいる。被係止部２４は同軸ケーブル７０の外面（外皮７４の外面）から離れていてもよい。図４Ｃに示すように、同軸コネクタ１の例では、被係止部２４と同軸ケーブル７０の外面との間には隙間Ｇ１が形成されている。このことによって、二次ロック部材４０の係止部４１Ａ、４１Ｂを被係止部２４の後縁２４ｈにより確実に当てることができる。同軸コネクタ１の例では、被係止部２４の第２湾曲部２４Ｆと同軸ケーブル７０の外面との間に隙間Ｇ１が形成されている。第１湾曲部２４Ｅと同軸ケーブル７０の外面との間にも隙間が形成されてもよい。なお、隙間Ｇ１には、これを埋める部材が配置されてもよい。
【００５７】
上述したように、同軸コネクタ１は筒状の支持部材５０を有している。支持部材５０は、シールド線保持部５１と、シールド線保持部５１より後方に位置する外皮保持部５２とを有している（図７参照）。図４Ｃに示すように、外皮保持部５２は、同軸ケーブル７０の外皮７４を取り囲み、外皮７４を保持している。外皮保持部５２は、シールド端子２０の被係止部２４の内側に位置している。これによれば、ケーブル半径方向における被係止部２４に対する同軸ケーブル７０の動きを小さくできる。その結果、二次ロック部材４０の係止部４１Ａ、４１Ｂを被係止部２４の後縁２４ｈにより確実に当てることができる。同軸コネクタ１の例では、被係止部２４は外皮保持部５２からケーブル半径方向に離れている。被係止部２４と外皮保持部５２との間に隙間が設けられている。被係止部２４の第１湾曲部２４Ｅと外皮保持部５２との間にも隙間が設けられてもよい。
【００５８】
シールド端子２０の接触部２１と誘電体１３との固定構造について説明する。図６に示すように、接触部２１は、その前縁に、ケーブル中心線Ｃ１に向かって突出する係止部２１ｇを有している。同軸コネクタ１の例では、接触部２１の前縁には、ケーブル周方向Ｄｒで間隔を空けて並ぶ複数の係止部２１ｇ（より詳細には、３つの係止部２１ｇ）が形成されている。誘電体１３の前端はこの係止部２１ｇに当たっており、このことによってシールド端子２０に対する誘電体１３の前方への移動が規制されている。
【００５９】
図９に示すように、接触部２１は、接触部２１の前縁よりも後方の位置に、誘電体１３の外周面に引っかかる係合部２１ｈを有している。係合部２１ｈの後端は接触部２１の他の部分に接続している。係合部２１ｈの前端は、ケーブル中心線Ｃ１に向かって内側に僅かに折り曲げられている。係合部２１ｈの前端は、誘電体１３の外周面に引っかかっており、シールド端子２０に対する誘電体１３の後方への移動を規制している。同軸コネクタ１の例では、ケーブル中心線Ｃ１を挟んで互いに反対側に位置する２つの係合部２１ｈが接触部２１に形成されている。
【００６０】
以上説明したように、シールド端子２０は、中心端子１１と誘電体１３とを囲み且つ相手方コネクタの端子Ｍと接触する接触部２１と、シールド線７２を囲みシールド線７２と接続されている接続部２３と、同軸ケーブル７０を囲む被係止部２４とを有している。接触部２１と接続部２３と被係止部２４は一体的に形成されており、同軸ケーブル７０の中心線Ｃ１を囲むように曲げられて筒状に形成されている。ハウジング３０は、挿入孔Ｈ１の内側に、被係止部２４の前縁の一部２４ｃにあたりシールド端子２０の前方への移動を規制する係止面３１を有している。これによると、同軸コネクタ１の製造コストを低減できる。
【００６１】
本発明は以上説明した実施形態に限られず、種々の変更がなされてよい。同軸コネクタ１の例では、被係止部２４は第１湾曲部２４Ｅとケーブル中心線Ｃ１からの距離が第１湾曲部２４Ｅよりも大きい第２湾曲部２４Ｆとを有している。同軸コネクタ１の例とは異なり、同軸コネクタ１の背面視において、真円でもよい。また、さらに他の例では、被係止部２４は、接触部２１と接続部２３との間に形成されてもよい。
【符号の説明】
【００６２】
１  同軸コネクタ、Ｆ  端子部、Ｍ  相手コネクタのシールド端子、１１  中心端子、１３  誘電体、２０  シールド端子、２１  接触部、２１ａ  境目、２１ｅ  本体、２１ｆ  最後部、２１ｈ  係合部、２３  接続部、２３ａ、２３ｂ  湾曲部、２３ｃ  境目、２３ｄ  前縁、２４  被係止部、２４Ｅ  第１湾曲部、２４Ｆ  第２湾曲部、２４Ｇ  平面部、２４ｃ  前縁、２４ｈ  後縁、２４ｎ  境目、２６  中間部、３０  ハウジング、３０ｂ  取付穴、３０ｃ  穴、３１  係止面、３３  一次ロック部、３３  係止部、３３ｂ  バネ部、３３ｃ  基部、３３ｄ  ガイド面、３４  支持部、４０  二次ロック部材、４１Ａ，４１Ｂ  係止部、４１ａ，４１ｂ  内側部、４２  カバー部、４３  取付部、５０  支持部材、５１  シールド線保持部、５２  外皮保持部、５３  中間部、７０  同軸ケーブル、７１  芯線、７１ａ  前端、７２  シールド線、７２Ａ  編組線、７２Ｂ  導体膜、７２ａ  最前部（露出部）、７２ｅ  突出部、７３  絶縁体、７４  外皮、Ｃ１  同軸ケーブルの中心線、Ｄｒ  同軸ケーブルの中心線を中心とする周方向、Ｈ１  挿入孔。
【図１】
2019003809.tif 000003
【図２】
2019003809.tif 000004
【図３】
2019003809.tif 000005
【図４Ａ】
2019003809.tif 000006
【図４Ｂ】
2019003809.tif 000007
【図４Ｃ】
2019003809.tif 000008
【図５】
2019003809.tif 000009
【図６】
2019003809.tif 000010
【図７】
2019003809.tif 000011
【図８】
2019003809.tif 000012
【図９】
2019003809.tif 000013
【図１０】
2019003809.tif 000014
【図１１】
2019003809.tif 000015
【図１２】
2019003809.tif 000016
【図１３】
2019003809.tif 000017